(57)【要約】アクセス端末は、データシステムがアクセス端末にアクセス端末識別子（ＡＴＩ）を割り当てるリクエストを、データシステムに無線で送信するように構成される。アクセス端末は、アクセス端末のユーザがデータシステムからパケットデータサービスをリクエストするためにアクセス端末を使用するまで、リクエストの伝送を遅延する。いくつかの例においては、データシステムは、エボリューション、データ専用（ＥＶ−ＤＯ）システムであり、アクセス端末識別子（ＡＴＩ）は、エボリューション、データ専用（ＥＶ−ＤＯ）システムによって生成される、ユニキャストアクセス端末識別子（ＵＡＴＩ）である。
2010500824.tif 000002
【特許請求の範囲】
【請求項１】
アクセス端末であって、
データシステムに対して、前記データシステムが前記アクセス端末にアクセス端末識別子（ＡＴＩ）を割り当てるリクエストを、無線で送信するように構成された前記アクセス端末であって、前記データシステムからパケットデータサービスをリクエストするために前記アクセス端末のユーザが前記アクセス端末を使用するまで、前記リクエストの伝送を遅延させる、アクセス端末。
【請求項２】
データシステムに対して、前記データシステムがアクセス端末にアクセス端末識別子（ＡＴＩ）を割り当てるリクエストを、無線で送信するように構成されたエレクトロニクスと、
前記データシステムからパケットデータサービスをリクエストするために前記アクセス端末を前記アクセス端末のユーザが使用するまで、前記リクエストの伝送を遅延させるように構成されたエレクトロニクスと、
を備えているアクセス端末。
【請求項３】
前記データシステムは、エボリューション、データ専用（ＥＶ−ＤＯ）システムである、請求項２に記載のアクセス端末。
【請求項４】
前記アクセス端末識別子（ＡＴＩ）は、前記エボリューション、データ専用（ＥＶ−ＤＯ）システムによって生成された、ユニキャストアクセス端末識別子（ＵＡＴＩ）である、請求項３に記載のアクセス端末。
【請求項５】
前記リクエストの伝送を遅延させるように構成された前記エレクトロニクスは、前記アクセス端末の前記ユーザが前記データシステムから前記パケットデータサービスをリクエストするために前記アクセス端末を使用するまで、エボリューション、データ専用（ＥＶ−ＤＯ）セッションを開くことを遅延し、前記のセッションを開くことは、前記データシステムでセッションパラメータをネゴシエートすることを含んでおり、また、前記アクセス端末は、前記のデータセッションが開かれるまで、パケットデータ接続を確立しないように構成されている、請求項３に記載のアクセス端末。
【請求項６】
前記のリクエストされたパケットデータサービスは、インターネットアクセスである、請求項２に記載のアクセス端末。
【請求項７】
前記のリクエストされたパケットデータサービスは、マルチキャストサービスである、請求項２に記載のアクセス端末。
【請求項８】
前記リクエストの伝送を遅延させるように構成された前記エレクトロニクスは、前記アクセス端末の前記ユーザが前記データシステムから前記パケットデータサービスをリクエストするために前記アクセス端末を使用するまで、データセッションを遅延し、
前記アクセス端末は、データセッションが開かれるまでデータシステムとのパケットデータ接続を確立しないように構成されており、
前記データセッションを開くことは、前記データシステムに対して前記リクエストを送信することを含んでおり；
エレクトロニクスは、前記データシステムが別のアクセス端末に前記アクセス端末識別子（ＡＴＩ）を再割り当てできるように、前記データセッションを閉じるかどうか決定を行なうように構成されており、前記決定は、前記アクセス端末の前記ユーザがパケットデータサービスを最後にリクエストした以降の時間に、少なくとも部分的に依存している、
請求項２に記載のアクセス端末。
【請求項９】
前記データセッションを閉じるかどうか前記決定を行なうように構成された前記エレクトロニクスは、前記ユーザがスレッシュホールドを超えているパケットデータサービスをリクエストするために前記アクセス端末を最後に使用した以降の前記の時間に応じて、少なくとも部分的に前記データセッションを閉じることを決定する、請求項８に記載のアクセス端末。
【請求項１０】
前記アクセス端末が前記データシステムからパケットデータサービスを受信できるパケットデータ接続を確立するように構成されたエレクトロニクス、をさらに備えており、
前記パケットデータ接続を確立することは、前記データシステムにおけるエンティティと前記アクセス端末との間でポイントツーポイントプロトコル（ＰＰＰ）接続を確立することを含んでおり、
前記データセッションを閉じるかどうか決定を行なうように構成された前記エレクトロニクスは、前記ポイントツーポイントプロトコル（ＰＰＰ）接続が確立された以降の時間に応じて、少なくとも部分的に前記パケットデータ接続を閉じることを決定する、
請求項８に記載のアクセス端末。
【請求項１１】
前記データセッションを閉じるかどうか前記決定を行なうように構成された前記エレクトロニクスは、前記ポイントツーポイントプロトコル（ＰＰＰ）接続がスレッシュホールドを超えて確立された以降の前記時間に応じて、少なくとも部分的に前記パケットデータ接続を閉じることを決定する、請求項１０に記載のアクセス端末。
【請求項１２】
前記アクセス端末が前記データシステムからパケットデータサービスを受信できるパケットデータ接続を確立するように構成されたエレクトロニクス、をさらに備えており、前記パケットデータ接続を確立することは、前記データシステムにおいてエンティティと前記アクセス端末との間でポイントツーポイントプロトコル（ＰＰＰ）接続を確立することを含んでおり、
前記データセッションを閉じるかどうか前記決定を行なうように構成された前記エレクトロニクスは、
前記ポイントツーポイントプロトコル（ＰＰＰ）接続が第１スレッシュホールドを超えて確立されている以降の時間に応じて、
また、前記アクセス端末の前記ユーザがスレッシュホールドを超えて前記パケットデータサービスのうちの1つを最後にリクエストした以降の前記時間に応じて、
前記データセッションを閉じることを決定する、
請求項８に記載のアクセス端末。
【請求項１３】
前記リクエストの伝送を遅延させるように構成された前記エレクトロニクスは、前記アクセス端末の前記ユーザが前記データシステムから前記パケットデータサービスをリクエストするために前記アクセス端末を使用するまで、データセッションを遅延し、前記アクセス端末は、前記データセッションが開かれるまでパケットデータ接続を確立しないように構成されており、また、さらに、
前記データセッションが開かれる後パケットデータ接続を確立するように構成されたエレクトロニクスと、なお、前記パケットデータ接続を確立することは、前記データシステムにおいてエンティティと前記アクセス端末との間でポイントツーポイントプロトコル（ＰＰＰ）接続を確立することを含んでいる；
スレッシュホールドを超えて、ポイントツーポイントプロトコル（ＰＰＰ）を確立した以降の前記時間に応じて、少なくとも部分的に前記のセッションを閉じるように構成されたエレクトロニクスと、なお、前記のセッションは、前記データシステムが別のアクセス端末に前記アクセス端末識別子（ＡＴＩ）を割り当てできるように、閉じられている；
を備えている、
請求項２に記載のアクセス端末。
【請求項１４】
エボリューション、データ専用（ＥＶ−ＤＯ）システム上で、エボリューション、データ専用（ＥＶ−ＤＯ）セッションを無線で開くように構成されたエレクトロニクスと、
なお、前記エボリューション、データ専用（ＥＶ−ＤＯ）セッションを開くことは、前記エボリューション、データ専用（ＥＶ−ＤＯ）システムから、ユニキャストアクセス端末識別子（ＵＡＴＩ）を受信することを含んでいる；
前記アクセス端末のユーザが前記エボリューション、データ専用（ＥＶ−ＤＯ）システムからパケットデータサービスをリクエストするために前記アクセス端末を使用するまで、前記のデータ専用（ＥＶ−ＤＯ）セッションを開くことを遅延させるように構成されたエレクトロニクスと；
前記データシステムが別のアクセス端末に前記アクセス端末識別子（ＡＴＩ）を再割り当てできるように前記データセッションを閉じるかどうか決定を行なうように構成されたエレクトロニクスと、なお前記決定は、前記アクセス端末の前記ユーザがパケットデータサービスを最後にリクエストした以降の時間に、少なくとも部分的に依存している；
を備えている、アクセス端末。
【請求項１５】
データシステムに対して、前記データシステムがアクセス端末にアクセス端末識別子（ＡＴＩ）を割り当てるリクエストを、無線で送信するための手段と、
前記アクセス端末のユーザが前記データシステムからパケットデータサービスをリクエストするために前記アクセス端末を使用するまで、前記リクエストの伝送を遅延させるための手段と、
を備えている、アクセス端末。
【請求項１６】
前記データシステムは、エボリューション、データ専用（ＥＶ−ＤＯ）システムであり、前記アクセス端末識別子（ＡＴＩ）は、前記エボリューション、データ専用（ＥＶ−ＤＯ）システムによって生成されたユニキャストアクセス端末識別子（ＵＡＴＩ）である、請求項１５に記載のアクセス端末。
【請求項１７】
データシステムに対して、前記データシステムが前記アクセス端末にアクセス端末識別子（ＡＴＩ）を割り当てるリクエストを、無線で送信することと、
前記アクセス端末のユーザが前記データシステムからパケットデータサービスをリクエストするために前記アクセス端末を使用するまで、前記リクエストの伝送を遅延させることと、
を備えている、アクセス端末を操作する方法。
【請求項１８】
前記データシステムは、エボリューション、データ専用（ＥＶ−ＤＯ）システムであり、前記アクセス端末識別子（ＡＴＩ）は、前記エボリューション、データ専用（ＥＶ−ＤＯ）システムによって生成されたユニキャストアクセス端末識別子（ＵＡＴＩ）である、請求項１７に記載の方法。
【請求項１９】
前記リクエストの伝送を遅延させることは、前記アクセス端末の前記ユーザが前記データシステムから前記パケットデータサービスをリクエストするために前記アクセス端末を使用するまで、エボリューション、データ専用（ＥＶ−ＤＯ）セッションを開くことを遅延し、前記セッションを開くことは、前記データシステムで、セッションパラメータをネゴシエートすることを含んでおり、前記アクセス端末は、前記データセッションが開かれるまでパケットデータ接続を確立しないように構成されている、請求項１７に記載の方法。
【請求項２０】
前記のリクエストされたパケットデータサービスは、インターネットアクセスである、請求項１７に記載の方法。
【請求項２１】
前記のリクエストされたパケットデータサービスは、マルチキャストサービスである、請求項１７に記載の方法。
【請求項２２】
１セットのコンピュータ実行可能インストラクションを有するコンピュータ可読メディアであって、
前記１セットのインストラクションは、
データシステムに対して、前記データシステムが前記アクセス端末にアクセス端末識別子（ＡＴＩ）を割り当てるリクエストを、無線で送信することと、
前記アクセス端末のユーザが前記データシステムからパケットデータサービスをリクエストするために前記アクセス端末を使用するまで、前記リクエストの伝送を遅延させることと、
を備えている、
コンピュータ可読メディア。
【請求項２３】
データシステム上でデータセッションを開くように構成されたエレクトロニクスと、なお、前記データセッションを開くことは、前記データシステムによって前記アクセス端末に割り当てられたアクセス端末識別子（ＡＴＩ）を前記データシステムから受信することを含んでいる；
前記アクセス端末が前記データシステムからパケットデータサービスを受信できる、パケットデータ接続を確立するように構成されたエレクトロニクスと；
前記データシステムが前記アクセス端末識別子（ＡＴＩ）を別のアクセス端末に再割り当てできるように前記データセッションを閉じるかどうか決定を行なうように構成されたエレクトロニクスと、なお、前記決定は、前記アクセス端末のユーザが前記パケットデータサービスのうちの1つを最後にリクエストした以降の時間に、少なくとも部分的に依存している；
を備えているアクセス端末。
【請求項２４】
前記データセッションを閉めるかどうか前記決定を行なうように構成された前記エレクトロニクスは、前記アクセス端末の前記ユーザがスレッシュホールドを超えている前記パケットデータサービスのうちの１つを最後にリクエストした以降の前記時間に応じて、少なくとも部分的に前記データセッションを閉じるように決定する、請求項２３に記載のアクセス端末。
【請求項２５】
前記パケットデータ接続を確立することは、前記データシステムにおいてエンティティと前記アクセス端末との間でポイントツーポイントプロトコル（ＰＰＰ）接続を確立することを含んでおり、
前記データセッションを閉じるかどうか前記決定を行なうように構成された前記エレクトロニクスは、確立されている前記ポイントツーポイントプロトコル（ＰＰＰ）接続がスレッシュホールドを越える以降の時間に応じて、少なくとも部分的に前記パケットデータ接続を閉じるために決定する、
請求項２３に記載のアクセス端末。
【請求項２６】
前記パケットデータ接続を確立することは、前記データシステムにおいてエンティティと前記アクセス端末との間で、ポイントツーポイントプロトコル（ＰＰＰ）接続を確立することを含んでおり、
前記データセッション接続を閉じるかどうか決定を行なうように構成された前記決定エレクトロニクスを行なうように構成された前記エレクトロニクスは、
確立されている前記ポイントツーポイントプロトコル（ＰＰＰ）接続が第１のスレッシュホールドを超える以降の時間に応じて、
また、前記アクセス端末の前記ユーザがスレッシュホールドを超えている前記パケットデータサービスのうちの1つを最後にリクエストした以降の前記時間に応じて、
前記パケットデータ接続を閉じるために決定する、
請求項２３に記載のアクセス端末。
【請求項２７】
前記データシステムは、エボリューション、データ専用（ＥＶ−ＤＯ）システムであり、前記アクセス端末識別子（ＡＴＩ）は、前記エボリューション、データ専用（ＥＶ−ＤＯ）システムによって生成されたユニキャストアクセス端末識別子（ＵＡＴＩ）である、請求項２３に記載のアクセス端末。
【請求項２８】
データシステム上でデータセッションを開くための手段と、なお、前記データセッションを開くことは、前記データシステムによって前記アクセス端末に割り当てられたアクセス端末識別子（ＡＴＩ）を前記データシステムから受信することを含んでいる；
前記アクセス端末が前記データシステムからパケットデータサービスを受信できるパケットデータ接続を確立するための手段と；
前記アクセス端末が前記データシステムからパケットデータサービスを受信できるパケットデータ接続を確立するための手段と；
前記データシステムがアクセス端末識別子（ＡＴＩ）を別のアクセス端末に再割り当てするように前記データセッションを閉じるかどうかの決定を行なうための手段と、なお、前記決定は、前記アクセス端末のユーザが前記パケットデータサービスのうちの1つを最後にリクエストした以降の時間に少なくとも部分的に依存する；
を備えているアクセス端末。
【請求項２９】
前記データシステムは、エボリューション、データ専用（ＥＶ−ＤＯ）システムであり、前記アクセス端末識別子（ＡＴＩ）は、前記エボリューション、データ専用（ＥＶ−ＤＯ）システムによって生成されたユニキャストアクセス端末識別子（ＵＡＴＩ）である、請求項２８に記載のアクセス端末。
【請求項３０】
データシステム上でデータセッションを開くことと、なお、前記データセッションを開くことは、前記データシステムによって前記アクセス端末に割り当てられたアクセス端末識別子（ＡＴＩ）を、前記データシステムから受信することを含んでいる；
前記アクセス端末が前記データシステムからパケットデータサービスを受信できる、パケットデータ接続を確立することと；
前記データシステムは別のアクセス端末に前記アクセス端末識別子（ＡＴＩ）を再割り当てできるようにデータセッションを閉じるかどうか決定を行なうことと、なお、前記決定は、前記アクセス端末のユーザが前記パケットデータサービスのうちのひとつを最後にリクエストした以降の時間に少なくとも部分的に依存している；
を備えているアクセス端末を操作する方法。
【請求項３１】
前記データシステムは、エボリューション、データ専用（ＥＶ−ＤＯ）システムであり、前記アクセス端末識別子（ＡＴＩ）は、前記エボリューション、データ専用（ＥＶ−ＤＯ）システムによって生成されたユニキャストアクセス端末識別子（ＵＡＴＩ）である、請求項３０に記載の方法。
【請求項３２】
前記決定を行なうことは、スレッシュホールドと、前記アクセス端末の前記ユーザが前記パケットデータサービスのうちの１つを最後にリクエストした以降の前記時間と、を比較することを含んでいる、請求項３０に記載の方法ターミナル。
【請求項３３】
前記パケットデータを確立することは、前記データシステムにおいてエンティティと前記アクセス端末との間で、ポイントツーポイントプロトコル（ＰＰＰ）接続を確立することを含んでおり、
前記決定は、前記ポイントツーポイントプロトコル（ＰＰＰ）接続が確立された以降の時間に少なくとも部分的に依存している、
請求項３０に記載のアクセス端末。
【請求項３４】
前記パケットデータ接続を確立することは、前記データシステムにおいてエンティティと前記アクセス端末の間でポイントツーポイントプロトコル（ＰＰＰ）接続を確立することを含んでおり、
前記決定を行なうことは、スレッシュホールドと、ポイントツーポイントプロトコル（ＰＰＰ）接続が確立された以降の時間と、を比較することを含んでいる、
請求項３０に記載の方法。
【請求項３５】
前記パケットデータ接続を確立することは、前記データシステムにおいてエンティティと前記アクセス端末との間で、ポイントツーポイントプロトコル（ＰＰＰ）を確立することを含んでおり、
前記決定を行なうことは、
第１スレッシュホールドと、前記ポイントツーポイントプロトコル（ＰＰＰ）接続が確立した以降の時間と、を比較することと、
第２スレッシュホールドと、前記アクセス端末の前記ユーザが前記パケットデータサービスのうちの1つを最後にリクエストした以降の前記時間と、を比較することと、
を含んでいる、
請求項３０に記載の方法ターミナル。
【発明の詳細な説明】
【背景】
【０００１】
（分野）
本発明は、通信システムに関し、より具体的には、データシステムとともに使用するためのアクセス端末に関する。
【０００２】
（背景）
アメリカ電気通信工業会(Telecommunication Industry Association)の「ＣＤＭＡ２０００、ハイレートパケットデータ無線インタフェース仕様書(CDMA2000, High Rate Packet Data Air Interface Specification)」において公式に名づけられた、「エボリューション、データ専用(Evolution, Data Only)」あるいは「エボリューション、データ最適化(Evolution, Data Optimized)」（ＥＶＤＯ）システムは、データシステムの一例である。ＥＶＤＯシステムにアクセスするために使用されるアクセス端末は、ＥＶＤＯシステムを獲得するときに、ＥＶＤＯセッションを典型的に開く(open)。ＥＶＤＯシステムは、各オープンセッション(open session)についてのデータを記憶する。たくさんのセッションは一度に開かれてもよく、オープンデータセッションの大部分は一度も使用されないので、ＥＶＤＯシステムは、しばしば、大量のデータを不必要に記憶しなければならない。ＥＶＤＯシステムのデータストレージ必要要件(data storage requirements)を減らす必要がある。
【概要】
【０００３】
アクセス端末は、アクセス端末のユーザがデータシステムからのパケットデータサービスをリクエストするためにアクセス端末を使用するまで(until after)、データセッション(data session)を開くことを遅延させるように構成されている(configured)。データセッションを開くことは、データシステムからアクセス端末識別子(Access Terminal Identifier)（ＡＴＩ）をリクエストすることを含むことができる。いくつかのインスタンスにおいて、データシステムは、エボリューション、データ専用（ＥＶ−ＤＯ）システムであり、アクセス端末識別子（ＡＴＩ）は、エボリューション、データ専用（ＥＶ−ＤＯ）システムによって生成されるユニキャストアクセス端末識別子(Unicast Access Terminal Identifier)（ＵＡＴＩ）である。
【０００４】
アクセス端末の別の実施形態は、データシステム上でデータセッションを開くように構成されている。データセッションを開くことは、データシステムがアクセス端末に割り当てたアクセス端末識別子（ＡＴＩ）から受信することを含んでいる。アクセス端末は、また、アクセス端末がデータシステムからパケットデータサービスを受信できる、パケットデータ接続(packet data connection)を確立するように構成されている。アクセス端末は、データシステムが別のアクセス端末にアクセス端末識別子（ＡＴＩ）を再割り当てできるようにデータセッションを閉じるかどうか、決定(determination)を行なうように、さらに構成されている。決定は、アクセス端末のユーザが最後にパケットデータサービスのうちの１つをリクエストしたとき以降の時間(a time since a user of the access terminal last requested one of the packet data services)に少なくとも部分的に依存する。
【０００５】
アクセス端末の一実施形態は、エボリューション、データ専用（ＥＶ−ＤＯ）システム上で、エボリューション、データ専用（ＥＶ−ＤＯ）セッションを無線で開くように構成された、エレクトロニクス(electronics)を含んでいる。エボリューション、データ専用（ＥＶ−ＤＯ）セッションを開くことは、エボリューション、データ専用（ＥＶ−ＤＯ）システムから、ユニキャストアクセス端末識別子（ＵＡＴＩ）を受信することを含んでいる。アクセス端末は、また、アクセス端末のユーザがエボリューション、データ専用（ＥＶ−ＤＯ）システムからパケットデータサービスをリクエストするためにアクセス端末を使用するまで、データ専用（ＥＶ−ＤＯ）セッションを開くことを遅延させるように構成されたエレクトロニクスを含む。アクセス端末は、また、データシステムが別のアクセス端末にアクセス端末識別子（ＡＴＩ）を再割り当てできるようにデータセッションを閉めるかどうか決定を行なうように構成されたエレクトロニクスを含む。決定は、アクセス端末のユーザが最後にパケットデータサービスをリクエストした以降の時間に少なくとも部分的に依存する。
【図面の簡単な説明】
【０００６】
【図１】図１は、ＥＶＤＯシステムと通信しているアクセス端末（ＡＴ）を図示する。
【図２】図２は、アクセス端末の電源をＯＮにした(powering on)後の、ＡＴとＥＶＤＯシステムとの間で発生するメッセージの交換を図示する。
【図３】図３は、ＡＴを操作する方法を図示する。
【図４】図４は、ＡＴを操作するための論理モジュールを示している、論理フロー図である。
【詳細な説明】
【０００７】
アクセス端末(access terminal)（ＡＴ）は、アクセス端末のユーザがＥＶＤＯシステムからパケットデータサービスをリクエストするためにアクセス端末を使用するまで、ＥＶＤＯデータセッションを開くことを遅延させるように構成される。ＡＴがパケットデータサービスについてのリクエストを実行するために、ＡＴは、オープンデータセッション(open data session)を使用する。結果、ユーザがオープンセッションを実際に使用する意思を示すまで、ＥＶＤＯシステムは、セッションを開かない。したがって、ＥＶＤＯシステムは、使用されないであろうセッションについてセッションデータを保存せず、ＥＶＤＯシステムのデータストレージ必要要件は、減らされる。
【０００８】
いくつかのインスタンスにおいて、オープンＥＶＤＯセッション(open EVDO session)を閉じるかどうかを決定するときのＡＴは、ユーザがパケットデータサービスを最後リクエストしたときから経過した時間を考慮に入れる。例えば、ＡＴは、ユーザが時間スレッシュホールド(time threshold)を越えるパケットデータサービスを最後にリクエストした以降の時間に応じて、少なくとも部分的にオープンＥＶＤＯセッションを閉じることができる。結果として、ＡＴは、ユーザがオープンセッションを使用するのを止めた後で、セッションを閉じる。いったんセッションが閉じられると、ＥＶＤＯシステムは、セッションについてのデータを記憶することを止める。したがって、ＥＶＤＯシステムは、ユーザが使用するのを止めたセッションについてのデータを記憶することを止め、ＥＶＤＯシステムのデータストレージ必要要件は減らされる。
【０００９】
図１は、ＥＶＤＯシステム１２と通信しているアクセス端末を図示している。ＥＶＤＯシステムは、アクセス端末１０と通信しているアクセスネットワーク(access network)（ＡＮ）１４を含んでいる。アクセスネットワーク１４は、ＣＤＭＡ２０００ １ｘ−ＥＶ−ＤＯネットワークであってもよい。例えば、アクセスネットワーク１４は、ベーストランシーバ局(Base Transceiver Station)（ＢＴＳ）１８のような複数のアクセスポイントと通信している基地局コントローラ(Base Station Controller)（ＢＳＣ）１６を含んでいる。ＡＴは、ワイヤレスエアリンク(wireless air-link)上で、ＡＮと望ましいように(preferably)通信する。ＡＴとＡＮの間の通信は、ワイヤレスエアリンク上である必要はなく、ワイヤ(wires)、光ファイバ、および／または導波管(waveguides)のような他のリンクを使用することができる。
【００１０】
パケット制御機能(Packet Control Function)（ＰＣＦ）２０は、ＡＮ１４と、また、パケットデータサービングノード(Packet Data Serving Node)（ＰＤＳＮ）２２と、通信している。ＰＣＦ２０は、ＡＮ１４とＰＤＳＮ２２の間のデータのパケットのリレー(relay)を管理する。いくつかのインスタンスにおいては、ＰＣＦ２０は、ＢＳＣ１６に含まれており、したがってＡＮ１４に含まれている。ＰＣＦ２０およびＢＳＣ１６は、ＣＤＭＡ２０００１ｘ−ＥＶ−ＤＯ Ａ９インタフェースについてのシグナリング情報を交換することができる。ＰＣＦ２０およびＢＳＣ１６は、ＣＤＭＡ２０００ １ｘ−ＥＶ−ＤＯ Ａ８インタフェースを使用して、Ａ８接続上で、ユーザトラフィックを交換することができる。ＰＣＦ２０およびＰＤＳＮ２２は、ＣＤＭＡ２０００ １ｘ−ＥＶ−ＤＯ Ａ１１インタフェースについてのシグナリング情報を交換することができる。ＰＣＦ２０およびＰＤＳＮ２２は、ＣＤＭＡ２０００ １ｘ−ＥＶ−ＤＯ Ａ１０インタフェースを使用して、Ａ１０接続中の(on an A10 connection)ユーザトラフィックを交換することができる。ＰＤＳＮは、インターネット２６を通じて、終点(end-point)２４と通信することができる。終点は、ダウンロードのソースであってもよく、あるいは、ＡＴおよび／または終点で受信されたマルチキャストは、ＡＴからのアップロードのための目的地(destination)であってもよい。適切な終点は、ＰＣｓのようなコンピュータおよびサーバ、に限定されてはいないが、含んでいる。
【００１１】
ＡＴ１０は、１つまたは複数のユーザインタフェース３０を含んでいる。適切なユーザインタフェース３０は、ボタン、ノブ(knobs)、キー、キーパッド、キーボード、マウスおよびＬＥＤディスプレイのようなディスプレイ、に限定されてはいないが、含んでいる。ＡＴのユーザは、ＥＶＤＯシステム１２からパケットデータサービスをリクエストするために、これらのユーザインタフェース３０のうちの１つまたは複数を使用することができる。パケットデータサービスの例は、インターネットアクセス、ハイレートブロードバンドデータ、および／または、ストリーミングメディア、のようなデータサービス(data services)と、ブロードキャストマルチキャストサービス(broadcast multicast services)（ＢＣＭＣＳ）のようなマルチキャストサービス(multicast services)と、に限定されてはないが、含んでいる。
【００１２】
ＡＴ１０は、１つまたは複数のユーザインタフェース３０と通信しているエレクトロニクス３２を含んでいる。エレクトロニクス３２は、ＡＴ１０のオペレーションを制御するように構成されている。例えば、ユーザは、エレクトロニクスに対してパケットデータサービスについてのリクエストを示す１つまたは複数の電気的信号(electrical signals)を生成するために、１つまたは複数のユーザインタフェース３０を使用することができる。エレクトロニクス３２は、リクエストを実行するように構成されている。例えば、エレクトロニクス３２は、リクエストを実行するために、ＡＮに対してメッセージを送信し受信する。パケットデータサービスについてのリクエストを実行することにおいて、エレクトロニクス３２は、アメリカ電気通信工業会の「ＣＤＭＡ２０００、ハイレートパケットデータ無線インタフェース仕様書」にしたがって、ＡＴを操作することができる。
【００１３】
エレクトロニクス３２は、トランシーバ３６と通信しているプロセッサ３４を含んでいる。プロセッサ３４は、ＡＮ１４に対して、メッセージを送信する、および／または、受信する、ためにトランシーバを使用することができる。トランシーバ３６の代替として、エレクトロニクスは、受信機と送信機と通信中であることができる。適切なプロセッサ３４は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル論理デバイス、ディスクリートゲートあるいはトランジスタ論理、ディスクリートハードウェアコンポーネント、あるいは、エレクトロニクスおよび／またはプロセッサに属する機能を実行するように設計されたそれらのいずれの組み合わせ、に限定されてはいないが、含んでいる。汎用プロセッサは、マイクロプロセッサであってもよいが、代替的に、プロセッサは、従来のプロセッサ、コントローラ、マイクロコントローラ、あるいはステートマシン(state machine)であってもよい。プロセッサ３４は、また、コンピューティングデバイス(computing devices)の組み合わせ、例えば、ＤＳＰとマイクロプロセッサとの組み合わせ、複数のマイクロプロセッサ、ＤＳＰコアと併用しての１つまたは複数のマイクロプロセッサ、あるいはいずれの他のそのようなコンフィギュレーションのもの、としてインプリメントされてもよい。
【００１４】
エレクトロニクス３２は、プロセッサ３４と通信しているメモリ３７を含んでいる。エレクトロニクス３２は、メモリ３７においてＥＶＤＯシステム１２と、また、ＡＮ１４と通信するためのデータを記憶することができる。例えば、エレクトロニクス３２は、ＥＶＤＯシステム１２および／またはＡＮ１４と、ＥＶＤＯセッションについてパラメータをネゴシエートすることができ、そして、メモリ３７においてこれらのパラメータを保存することができる。メモリ３７は、いずれのメモリデバイス、あるいは、読み込み／書き込みオペレーションに適切なメモリデバイスの組み合わせ、であってもよい。
【００１５】
いくつかのインスタンスにおいて、エレクトロニクス３２は、プロセッサ３４と通信しているコンピュータ可読メディア(computer-readable medium)３８を含んでいる。コンピュータ可読メディア３８は、プロセッサ３４によって実行される予定の１セットのインストラクションを有することができる。プロセッサ３４は、例えばユーザによって起こった(originated)パケットデータサービスについてのリクエストを実行するような、エレクトロニクスが望ましい機能を実行するように、インストラクションを実行できる。コンピュータ可読メディア３８は、メモリとは異なるように示されているけれども、コンピュータ可読メディア３８は、メモリ３７と同じであってもよい。適切なコンピュータ可読メディア３８は、ＣＤｓのような光学ディスク、磁気ストレージディスケット、Ｚｉｐディスク、磁気テープ、ＲＡＭｓ、およびＲＯＭｓ、に限定されてはいないが、含んでいる。
【００１６】
エレクトロニクスは、プロセッサ３４と通信している１つまたは複数のタイマー３９を含んでいる。１つまたは複数のタイマーは、ＡＴのオペレーションの間に、１つまたは複数のイベントが生じた以降の時間をトラックする(track)ために使用されることができる。例えば、下記に詳細に開示されているように、タイマーは、パケットデータサービスをリクエストするためにユーザが最後に使用した以降の時間を測定するために使用されることができ、また、タイマーは、ポイントツーポイントプロトコル（ＰＰＰ）が確立された以降の時間を測定するために使用されることができる。
【００１７】
適切なアクセス端末１０は、外部無線モデム(external radio modems)、無線パーソナルコンピュータメモリカード国際組織(personal computer memory card international association)（ＰＣＭＣＩＡ）カード、埋め込まれた無線モジュール、およびモバイル電話、に限定されてはいないが、含んでいる。外部無線モデムは、ＵＳＢあるいはＥｔｈｅｒｎｅｔ（登録商標）ＲＪ−４５のようなスタンダードインタフェースに接続される(plug into)。したがって、外部無線モデムは、無線データ機能をこれらのコネクタを用いてデバイスに与えるように使用されることができる。ＰＣＭＣＩＡカードは、無線データ機能でこれらのデバイスを供給するために、ラップトップコンピュータあるいは携帯情報端末(personal digital assistants)（ＰＤＡｓ）のようなポータブル通信デバイスに差し込まれることができる。無線モジュールは、カメラあるいはポータブルコンピュータのようなデバイスに組み込まれている、あるいは、埋め込まれていてもよい。
【００１８】
図２は、アクセス端末の電源をＯＮにした(powers on)後で、ＡＴとＥＶＤＯシステムとの間の交換を図示する。Ａとラベル付けされた矢印は、時間の進行を図示している。ＡＴは、アクセス端末識別子(access terminal identifier)（ＡＴＩ）と呼ばれる独自の識別子を使用する。ＡＴの電源をＯＮにした後で、エレクトロニクスは、ランダムアクセス端末識別子(random access terminal identifier)（ＲＡＴＩ）に、アクセス端末識別子（ＡＴＩ）を設定する。ＡＴは、エレクトロニクスがパイロットチャネルによって示されたチャネルにＡＴをチューニングするパイロットチャネルを探す場合(where the electronics look for a pilot channel tune the AT to a channel indicated by the pilot channel)、その後獲得モードに入る。
【００１９】
獲得モードの後、ＡＴは遅延モードに入る。遅延モードにおいて、エレクトロニクスは、ＡＴのユーザがＡＮを用いたパケットデータの交換(an exchange of packet data with the AN)をリクエストするまで待つ。例えば、エレクトロニクスは、ＡＴのユーザがパケットデータサービスをリクエストするために１つまたは複数のユーザインタフェースを使用するまで待つ。いったんユーザがパケットデータサービスをリクエストすると、エレクトロニクス、ＥＶＤＯセッションのようなデータセッションを開始する。いったんセッションが開くと、ＡＴは、ＥＶＤＯシステムからパケットデータ接続をリクエストすることができる。セッションを開くために、エレクトロニクスは、ＡＮから、ユニキャストアクセス端末識別子（ＵＡＴＩ）を獲得する。例えば、エレクトロニクスは、ＡＮにＵＡＴＩリクエスト４０を送る。応答として、ＡＮは、ＡＴについてのＵＡＴＩを生成する。ＡＮは、ＡＴにＵＡＴＩ割り当てメッセージ４１を送信する。ＵＡＴＩ割り当てメッセージ４１は、ＡＴによってリクエストされたＵＡＴＩを含んでいる。エレクトロニクスは、ＵＡＴＩ割り当てメッセージ４１において示されたＵＡＴＩに、ＡＴについてのＡＴＩを設定する。エレクトロニクスは、ＵＡＴＩ完了メッセージ４２をＡＮに送る。ＵＡＴＩ完了メッセージ４２は、ＡＴがＵＡＴＩをうまく(successfully)受信したということを、ＥＶＤＯシステムに示す。ＥＶＤＯシステムはＡＴをトラックし、識別するためにＵＡＴＩを使用する。したがって、ＵＡＴＩは、ＥＶＤＯシステム上でセッションが開いた状態で(with a session open)、各ＡＴについて異なる。しかしながら、ＡＮは、ＡＴがサブネットバウンダリ(sub-net boundary)を越える(cross)ときに、ＡＴについてＵＡＴＩを変更することができる。結果として、ＵＡＴＩは、ＡＴがモニタしているサブネットについてＡＴに一般に割り当てられる。
【００２０】
ＡＴは、ＡＮとのエアリンクを確立することによってセッションを開くことを続ける。エレクトロニクスは、ＡＮにトラフィックチャンネルリクエスト４３を送る。ＡＮが利用可能なリソースを有する場合には、ＡＮは、順方向トラフィックチャネル(forward traffic channel)、リバースパワーチャネル(reverse power channel)、そしてリバーストラフィックチャネル(reverse traffic channel)を、ＡＴに割り当てるであろう。ＡＮは、ＡＴにトラフィックチャネル割り当てメッセージ４４を送るであろう。トラフィックチャネル割り当てメッセージは、ＡＴに割り当てられたトラフィックチャネルを示す。エレクトロニクスは、ＡＮに対して、トラフィックチャネル割り当て完了４５メッセージを送る。トラフィックチャネル割り当て完了メッセージ４５は、ＡＴが割り当てられたトラフィックチャネルをうまく受信したということを、ＡＮに示す。エアリンク４６は、ＡＴとＡＮの間に存在している。
【００２１】
ＡＴは、ＡＮでセッションパラメータをネゴシエートするためにエアリンクを使用することによって、セッションを開くことを続ける。例えば、ＡＴは、ＡＮに、コンフィギュレーションリクエストメッセージ(configuration request message)を送信することができる。ＡＮは、リクエストされたセッションパラメータで応答することができる。ＡＴは、ＡＴがＡＮからセッションパラメータをうまく受信したということをＥＶＤＯシステムに示す、コンフィギュレーション完了メッセージで応答することができる。ＡＮは、その後、コンフィギュレーションリクエストメッセージをＡＴに送ることができる。ＡＴは、リクエストされたセッションパラメータで応答することができる。ＡＮは、ＡＮがＡＴからセッションパラメータをうまく受信したということをＡＴに示す、コンフィギュレーション完了メッセージで応答することができる。セッションパラメータは、プロトコルコンフィギュレーション、コンフィギュレーションセッティング、そしてセッションのためのオプションを含んでいる。ネゴシエートされたパラメータの一例は、いったんセッションが開いたセッションの持続期間(duration)を決定するKeep Aliveデータ(Keep Alive data)である。ネゴシエートされたパラメータのさらなる例は、無線リンクプロトコル(radio link protocol)（ＲＬＰ）、ポイントツーポイントプロトコル(point-to-point protocol)（ＰＰＰ）、認証パラメータ(authentication parameters)、デフォルトパケットアプリケーション(Default Packet Application)、および／または、ストリームコンフィギュレーション(stream configurations)、に限定されておらず、含んでいる。セッションは、今、開いており、ＥＶＤＯシステムは、ネゴシエートされたパラメータの全部あるいは一部同様、ＡＴについてのＵＡＴＩを保存している。
【００２２】
いくつかのインスタンスにおいて、セッションを開くプロセスは、ＡＮにＡＴアクセスを許可する前にＡＴを認証することを含んでいる。
【００２３】
いったんＡＴおよびＡＮがコンフィギュレーションに関して同意すると(agreed on)、ＡＮは、接続クローズ(connection close)を送信し、ＡＴとＡＮとの間のエアリンクは、閉じられる。ＡＴがデータを送信する準備ができると、ＡＴは、ネゴシエートされたパラメータを使用してエアリンクを再確立する。例えば、エレクトロニクスは、トラフィックチャネルリクエスト４８をＡＮに送信する。ＡＮは、順方向トラフィックチャネル、リバースパワーチャネル、およびリバーストラフィックチャネルをＡＴに割り当てるであろう。ＡＮは、トラフィックチャネル割り当てメッセージ５０を、ＡＴに送るであろう。トラフィックチャネル割り当てメッセージは、ＡＴに対して割り当てられたトラフィックチャネルを示す。エレクトロニクスは、ＡＮにトラフィック割り当て完了５２メッセージを送る。トラフィックチャネル割り当て完了メッセージ５２は、ＡＴが割り当てられたトラフィックチャネルをうまく受信したということを、ＡＮに示す。エアリンク５４は、ＡＴとＡＮとの間で存在している。
【００２４】
エアリンクを再確立した後で、ＡＴは、パケットデータ接続を行なうことをはじめる。ＡＴは、ＰＣＦとＰＤＳＮとの間の接続と、ＡＮとＰＣＦとの間の接続と、をセットアップすることによって、パケットデータ接続を開始する。エレクトロニクスは、ＡＮに、メッセージを送る準備ができているデータ６６(a data ready to send message 66)を送信する。メッセージを送る準備ができているデータ６６は、ＡＴがパケットデータ接続上でパケットデータを交換する準備ができているということを示す。メッセージを送る準備ができているデータ６６を受信した後で、ＡＮは、ＡＮとＰＣＦ間の接続をセットアップするために、ＡＮおよびＰＣＦ接続セットアップメッセージ６８(an AN and PCF connection set-up message 68)を、ＰＣＦに送る。例えば、ＡＮは、ＡＴに関連づけられたＡ８接続をセットアップするために、Ａ９インタフェースを使用して、Ａ９−セットアップ−Ａ８メッセージを、ＰＣＦに送ることができる。ＡＮおよびＰＣＦ接続セットアップメッセージ６８に応じて、ＰＣＦは、ＡＴに関連づけられるＰＤＳＮおよびＰＣＦ間の接続を探す(looks for)。ＡＴに関連づけられるＰＤＳＮとＰＣＦ間の接続がない場合、ＰＣＦは、ＰＤＳＮを選択し、選択されたＰＤＳＮに対して、登録リクエスト７０を送る。登録リクエスト７０は、ＰＤＳＮとＰＣＦ間の接続がＡＴに割り当てられるべきであるということをリクエストする。例えば、ＡＴに対して割り当てられたＡ１０接続がない場合には、ＰＣＦは、Ａ１０接続がＡＴに割り当てられるべきであるということをリクエストするために、ＰＤＳＮを選択し、そして、Ａ１１登録リクエストを選択されたＰＤＳＮに送るＡ１１インタフェースを使用する。登録リクエストに応じて、ＰＤＳＮは、ＰＣＦに登録返信７２を戻す。応答して、ＰＣＦおよびＰＤＳＮは、ＰＣＦとＰＤＳＮとの間の接続７４を、ＡＴと関連付ける。例えば、ＰＣＦおよびＰＤＳＮは、Ａ１０接続を、ＡＴと関連付けることができる。もし登録リクエスト７０が送られる前にＡ１０接続がＡＴに関連づけられる場合には、ＰＣＦは、ＰＤＳＮを選択すること、また、ＰＤＳＮに登録リクエスト７０を送信すること、を止める。
【００２５】
ＰＣＦは、ＡＮとＰＣＦとの間の接続７８をＡＴに割り当てるために、ＡＮに対して、接続ＡＮおよびＰＣＦメッセージ７６を送る。例えば、ＰＣＦは、Ａ８接続をＡＴと関連づけるために、Ａ９−接続Ａ８メッセージ(an A9-Connect A8 message)を、ＡＮに送る。接続ＡＮおよびＰＣＦメッセージ７６に応じて、ＰＣＦおよびＰＤＳＮは、ＡＴで、ＡＮとＰＣＦとの間の接続７８を割り当てる。ポイントツーポイントプロトコル（ＰＰＰ）接続８０は、その後、ＰＤＳＮとＡＴの間でネゴシエートされる。この時点では、ＡＴは、接続され、パケットデータは、パケットデータ接続８２上で流れることができる。したがって、ＡＴは、接続状態(connected state)に入っている。
【００２６】
パケットデータがパケットデータ接続上で交換された後で、エレクトロニクスは、休止状態(dormant state)に入ることができる。休止状態においては、パケットデータ接続は、閉じられているが、ＰＰＰ接続およびＡ１０接続は、確立されたままである。ユーザが、ＡＴが休止状態にある間に、パケットデータサービスをリクエストするとき、あるいは、ページを受信するとき、ＰＰＰ接続および／またはＡ１０接続は、パケットデータ接続を再確立するために使用されている。今後のデータシステムの実施形態は、ＰＰＰ接続を必要としないかもしれない。したがって、ＰＰＰ接続はオプション(optional)であってもよい。したがって、ＰＰＰ接続は、エレクトロニクスが休止状態にあるとき、存在しないかもしれない。
【００２７】
セッションを開けてしばらくして、セッションは、ＡＴあるいはＡＮのいずれかによって閉められる。セッションを閉じるときに、ＡＮは、ＡＴについてのＵＡＴＩをもはや保存しない。結果として、セッションを閉じることは、ＡＴにＵＡＴＩを譲渡させ(surrender)、ＵＡＴＩは、別のＡＴに再割り当てされることができる。
【００２８】
ＡＴは、いつセッションを閉めるかを決定するために、１つまたは複数の基準を利用することができる。例えば、ＡＴは、１つまたは複数のスレッシュホールドと、１つまたは複数の時間と、を比較できる。一例として、エレクトロニクスは、ＰＰＰ接続が確立されるときにリセットされる第１のタイマーを使用することができる。エレクトロニクスは、第１のスレッシュホールドと、ＰＰＰ接続が確立されたとき以降の時間と、を比較することができる。第１のスレッシュホールドは、第１の基準(criterion)として役立つ。第１の基準は、ＰＰＰ接続が確立されたとき以降の時間が第１のスレッシュホールドよりも少ないとき通過し(is passed)、第１の基準は、ＰＰＰ接続が確立されたとき以降の時間が第１のスレッシュホールドよりも多いとき失敗する(is failed)。
【００２９】
エレクトロニクスは、また、ユーザがパケットデータサービスをリクエストするときにリセットされる第２のタイマーを使用することができる。エレクトロニクスは、第２のスレッシュホールドと、ユーザがパケットデータサービスをリクエストした以降の時間と、を比較することができる。第２のスレッシュホールドは、第２の基準として、役立つ。第２の基準は、ユーザがパケットデータサービスをリクエストした以降の回数が第２のスレッシュホールドよりも少ないとき通過し(is passed)、第１の基準は、ユーザがパケットデータサービスをリクエストした以降の時間が第２のスレッシュホールドよりも多いとき失敗する(is failed)。
【００３０】
パケットデータサービスがリクエストされる以降の時間は、パケットデータサービスが本来リクエストされる時点から、あるいは、リクエストが完了する時間から、決定されることができる。例えば、ＡＴは、パケットデータサービスについてのリクエストが本来リクエストされるときに、第２のタイマーをリセットすることができる。交替に、ＡＴは、パケットデータサービスについてのリクエストが十分に実行されるときに、第２のタイマーをリセットすることができる。パケットデータサービスについてのリクエストが十分に実行されるときの一例は、ダウンロードされたファイルがＡＴにおいて完全に受信されるときにＡＴがマルチキャストを受信することを止めるときである。
【００３１】
いくつかのインスタンスにおいて、エレクトロニクスは、第１の基準あるいは第２の基準が失敗するときにセッションを閉じる。いくつかのインスタンスにおいて、エレクトロニクスは、第１の基準および第２の基準が失敗するときにセッションを閉じる。今後のＥＶＤＯシステムは、ＰＰＰ接続を使用しないかもしれない。したがって、エレクトロニクスは、ただ第２の基準のみ使用することができ、また、第２の基準が失敗するときセッションを閉じることができる。
【００３２】
ＡＴは、能動的に(actively)、あるいは、受動的に(passively)、セッションを閉じることができる。ＡＴは、セッションを閉じるためにＡＮに対してメッセージを送信することによって、セッションを能動的に閉じることができる。応答して、ＡＮは、セッションを閉じるためにメッセージをＡＴに送信し、セッションは、閉じられる。例えば、ＡＴは、ＡＮにCloseSessionメッセージを送信することができ、ＡＮは、CloseSessionメッセージに応答し、そして、セッションは閉じられるであろう。ＡＴは、セッションがタイムアウトをすることを可能にすることによって、セッションを受動的に閉じることができる。上記に開示されているように、ＡＴがセッションを開くとき、ＡＴは、ＡＮで、KeepAliveデータをネゴシエートする。KeepAliveデータは、オープンセッションの持続時間を決定する。例えば、セッションが開かれているとき、ＡＮは、キープアライブタイマー(a keep alive timer)を設定する。エレクトロニクスは、ＡＮに、KeepAliveメッセージを異なる時間に送る。ＡＮが、キープアライブスレッシュホールド(a keep alive threshold)の前に、KeepAliveメッセージを受信する場合には、ＡＮは、キープアライブタイマーをリセットし、セッションは、開いたままである。したがって、ＥＶＤＯシステムは、ＵＡＴＩとＡＴについての他のパラメータとを記憶することを続ける。もしキープアライブタイマーがキープアライブスレッシュホールドに達する前にＡＮがKeepAliveメッセージを受信しない場合には、ＡＮはセッションを閉じる。ＡＮは、セッションを閉じるために、ＡＴにメッセージを送信することによってセッションを閉じることができる。それに応じて、ＡＴは、セッションを閉じるメッセージをＡＮに送信し、セッションは閉じられる。例えば、ＡＮは、CloseSessionメッセージをＡＴに送信することができ、ＡＴは、CloseSessionメッセージで応答し、セッションは閉じられる。したがって、エレクトロニクスは、指定された時間内にKeepAliveメッセージを送信することを止めることによってセッションを閉じることができる、したがって、セッションがタイムアウトすることを可能にする。ＡＴがセッションを閉じるとき、ＥＶＤＯシステムは、別のアクセス端末にＵＡＴＩを再割り当てすることができる。結果として、ＡＴがセッションを閉じるとき、ＡＴは、ＵＡＴＩを譲渡する。
【００３３】
ＡＴは、図２で図示されたメッセージに加えて、メッセージを、オプションとして(optionally)送信および／または受信することができる。例えば、トラフィックチャネル割り当てメッセージを受信することとトラフィックチャネル完了メッセージを送信することとの間で、ＡＴは、ＡＮにＡＣＡｃｋメッセージを送信する、および／または、ＡＮからＲＴＣＡｃｋを受信することができる。ＡＣＡｃｋメッセージは、ＡＴに、アクセスプローブ(access probes)を送信することを止めるように伝えることができる。ＲＴＣＡｃｋメッセージは、ＡＴに、ＡＮがその逆パイロット(reverse pilot)を獲得したということを伝えることができる。
【００３４】
図３は、ＡＴを操作する方法を図示している。エレクトロニクスは、図３に従って、方法を実行することができる。エレクトロニクスは、プロセスブロック９０で、ＡＴに電源をＯＮにする。プロセスブロック９２で、エレクトロニクスは、ＥＶＤＯシステムを獲得する。決定ブロック９４で、エレクトロニクスは、ユーザがパケットデータサービスをリクエストしたかどうか決定を行なう。決定が否定(negative)であるイベントにおいて、エレクトロニクスは、決定ブロック７４に戻る。決定が肯定(positive)であるとき、エレクトロニクスは、プロセスブロック９６でセッションを開く。決定ブロック９８で、エレクトロニクスは、ＰＰＰ接続が確立した以降の時間が第１のスレッシュホールドを越えているかどうか決定を行なう。決定が否定である場合には、エレクトロニクスは、パケットデータ接続が開いたままであることを許可し、決定ブロック９８に戻る。決定が肯定であるとき、エレクトロニクスは、決定ブロック１００に移る。決定ブロック１００で、エレクトロニクスは、ユーザはパケットデータサービスをリクエストした以降の時間が第２のスレッシュホールドを超えているかどうかを決定する。例えば、エレクトロニクスは、ユーザがマルチキャストサービスあるいはデータサービスをリクエストした以降の時間が第２のスレッシュホールドを超えているかどうかを決定することができる。決定が否定であるとき、エレクトロニクスは、パケットデータ接続が開いたままであることを許可し、決定ブロック９８に戻る。決定が肯定であるとき、エレクトロニクスは、プロセスブロック１０２で、セッションを閉じる。したがって、エレクトロニクスは、ＰＰＰが確立された以降の時間が第１のスレッシュホールドよりも多いときに、また、パケットデータサービスについての最後のリクエスト以降の時間が第２のスレッシュホールドよりも多いときに、セッションを閉じる。
【００３５】
プロセッサブロック９６から、エレクトロニクスは、プロセスブロック１０３で、パケットデータ接続を行なう。パケットデータ接続を行なうことは、プロセスブロック１０４でＰＰＰ接続を確立すること、また、そのあとで、プロセスブロック１０５でパケットデータ接続を確立すること、を含むことができる。ブロック１０６で、エレクトロニクスは、ＥＶＤＯシステムでパケットデータを交換するために、パケットデータ接続を使用する。パケットデータがパケットデータ接続上で交換された後で、エレクトロニクスは、プロセスブロック１０７で休止状態に入る。エレクトロニクスは、エレクトロニクスがプロセスブロック１０８でパケットデータ接続を必要とするリクエストを受け取るまで、休止状態のままである。パケットデータ接続を必要とするリクエストの例は、ＡＴのユーザがパケットデータサービスをリクエストすること、あるいは、ＥＶＤＯシステムからページを受信すること、に限定されていないが、含んでいる。いったんエレクトロニクスがパケットデータ接続を必要とするリクエストを受信すると、エレクトロニクスは、プロセスブロック１０５でパケットデータ接続を再確立する。
【００３６】
エレクトロニクスは、プロセスブロック９８でパケットデータ接続を行なう。いったんパケットデータ接続が開くと、エレクトロニクスは、データサービスについてのリクエストを実行するためにパケットデータ接続を使用することができる。ＡＴは、セッションを開くことと、パケットデータ接続を行なうこととの間で、休止で動作する必要がない(need not go dormant)、というのは、ユーザはすでにパケットデータサービスをリクエストしているからである。
【００３７】
上記に示されているように、今後のデータシステムの実施形態は、ＰＰＰ接続を必要としない可能がある。これらのインスタンスにおいて、エレクトロニクスは、プロセスブロック９６から決定ブロック１００に、直接続行することができる(proceed)。したがって、決定ブロック９６は、オプションである。
【００３８】
図４は、ＡＴを操作するための論理モジュールを示している、論理フロー図である。エレクトロニクス３２は、モジュールの電源をＯＮにする、パワーオンモジュール(a power-on module)１１０を含んでいる。エレクトロニクス３２は、また、セッションを開くためにＡＴを準備するセットアップモジュール(set-up module)１１２を含んでいる。例えば、セットアップモジュール１１２は、ＡＴ用のＡＴＩをＲＡＴＩに設定する。エレクトロニクス３２は、また、ＡＮを獲得する獲得モジュール１１４を含んでいる。エレクトロニクス３２は、また、ユーザがパケットデータサービスをリクエストするまでセッションを開くことを遅延させる、遅延モジュール１１６を含んでいる。例えば、遅延１１６モジュールは、ユーザがパケットデータサービスをリクエストしたときに識別することができ、また、その後でセッションが開かれる予定であるということを示す信号を提供することができる。
【００３９】
エレクトロニクス３２は、セッションを開く、セッションオープニングモジュール１１８を含んでいる。いったんセッションが開くと、ＡＴは、ＡＮからパケットデータ接続をリクエストすることができる。セッションオープニングモジュールは、ＡＮからＵＡＴＩをリクエストし獲得する、ＵＡＴＩ獲得モジュール１２０を含んでいる。セッションオープニングモジュール１１８は、トラフィックチャネルモジュール１２１を含んでいる。トラフィックチャネルモジュール１２１は、ＥＶＤＯシステムからトラフィックチャネル割り当てをリクエストし受信する。セッションオープニングモジュール１２０は、また、ＡＴとＡＮとの間のエアリンクをセットアップする、エアリンク接続モジュール１２２を含んでいる。セッションオープニングモジュール１２０は、また、パラメータネゴシエーションモジュール１２３を含んでいる。パラメータネゴシエーションモジュール１２３は、ＥＶＤＯシステムで、セッションについてのパラメータをネゴシエートする。
【００４０】
エレクトロニクス３２は、また、接続モジュール１２４を含んでいる。接続モジュール１２４は、パケットデータ接続を確立させる。接続モジュール１２４は、トラフィックチャネルモジュール１２６を含んでいる。トラフィックチャネルモジュール１２６は、ＥＶＤＯシステムからトラフィックチャネル割り当てをリクエストし、受信する。トラフィックチャネルモジュール１２６は、トラフィックチャネルモジュール１２１と同じであってもよいし、トラフィックチャネルモジュール１２１とは異なっていてもよい。接続モジュール１２４は、また、ＡＴとＡＮとの間のエアリンクをセットアップする、エアリンク接続モジュール１２８を含んでいる。エアリンク接続モジュール１２８は、エアリンク接続モジュール１２２と同じであってもよいし、エアリンク接続モジュール１２２とは異なっていてもよい。接続モジュール１２４は、また、ＡＮ／ＰＣＦ接続モジュール１３０を含んでいる。ＡＮ／ＰＣＦ接続モジュール１３０は、ＥＶＤＯシステムに、ＡＮとＰＣＦとの間で接続をセットアップさせ、ＡＴに接続を割り当てさせる。例えば、ＡＮ／ＰＣＦ接続モジュール１３０は、ＥＶＤＯシステムに、ＡＴに対してＡ８接続を割り当てさせることができる。ＰＣＦとＰＤＳＮとの間の接続がＡＴに対して割り当てられないイベントにおいては、ＡＮ／ＰＣＦ接続モジュール１３０は、また、ＥＶＤＯシステムに、ＰＣＦとＰＤＳＮとの間の接続をセットアップさせ、ＡＴに接続を割り当てさせる。例えば、ＡＮ／ＰＣＦ接続モジュール１３０は、ＥＶＤＯシステムに、Ａ１０接続をＡＴに割り当てさせることができる。接続モジュール１２４は、また、ＰＰＰ接続を確立するためにＰＰＰモジュール１３２を含んでいる。上記に示されているように、今後のデータシステムの実施形態は、ＰＰＰ接続を必要としないかもしれない。したがって、ＰＰＰモジュール１３２は、オプションである。接続モジュール１２４は、また、パケットデータ接続を確立するために、パケットデータ接続モジュール１３４を含んでいる。
【００４１】
エレクトロニクス３２は、パケットデータ接続上でデータを交換するために、パケットデータモジュール１３６を含んでいる。エレクトロニクス３２は、また、ＡＴがパケットデータ接続上でパケットデータを交換しないとき、接続状態においてＡＴを操作するために接続状態モジュール１３８を含んでいる。例えば、パケットデータ接続は、定位置にあるがＡＴによって能動的に使用されていない一方で、接続状態モジュールは、ＡＴを操作する。エレクトロニクス３２は、また、ＡＴを休止状態にするために、休止モジュール１４０を含んでいる。
【００４２】
エレクトロニクス３２は、また、タイマモジュール１４２を含んでいる。タイマモジュールは、１つまたは複数のイベントが生じた以降の時間をトラックする。例えば、タイマモジュールは、ＰＰＰ接続が確立された以降の時間、および／または、パケットデータサービスを最後にリクエストした以降の時間、をトラックできる。
【００４３】
エレクトロニクス３２は、また、セッションが閉じられるべきであるかどうかを識別する、セッションクローズ識別モジュール１４４を含んでいる。例えば、ＡＴは、セッションが閉じられるべきであるかどうかを決定するために、１つまたは複数のスレッシュホールドと、タイマモジュール１４２から受信した１つまたは複数の時間と、を比較することによって、セッションは閉じられるべきかどうかを識別することができる。一例として、エレクトロニクスは、第１のスレッシュホールドと、ＰＰＰ接続が確立された以降の時間を比較できる。エレクトロニクスは、また、第２のスレッシュホールドと、ユーザがパケットデータサービスをリクエストした以降の時間を比較することができる。いくつかのインスタンスにおいて、エレクトロニクスは、ＰＰＰが確立された以降の時間が第１のスレッシュホールドよりも多く、パケットデータサービスについての最後のリクエスト以降の時間が第２のスレッシュホールドよりも多いときに、セッションは閉じられるべきであるということを識別する。上記に示されているように、今後のデータシステムの実施形態は、ＰＰＰ接続を必要としないかもしれない。これらのインスタンスにおいて、エレクトロニクスは、パケットデータサービスについての最後のリクエスト以降の時間が第２のスレッシュホールドよりも多いときに、セッションは閉じられるべきであるということを識別する。エレクトロニクス３２は、ＡＴが接続状態にある間に、あるいは、ＡＴが休止状態にある間に、セッションは閉じられるべきであるかどうかを識別できる。例えば、エレクトロニクス３２は、全体においてあるいは一部において、パケットデータモジュール１３６、および／または、接続状態モジュール１３８、および／または、休止モジュール１４０が実行されている間に、セッションクローズ識別モジュール(session close identification module)１４４を実行することができる。
【００４４】
エレクトロニクス３２は、また、セッションを閉じる、セッションクローズモジュール１４６を含んでいる。例えば、セッションクローズ識別モジュール１４４がセッションは閉じられるべきであるということを識別するときに、セッションクローズモジュール１４６は、セッションを閉じることができる。セッションクローズモジュール１４６は、ＡＴが接続状態にある間にあるいはＡＴが休止状態にある間に、セッションを閉じることができる。例えば、エレクトロニクス３２は、全体においてあるいは一部において、休止モジュール１４０、および／または、接続状態モジュール１３８が実行されている間に、セッションクローズモジュール１４６を実行することができる。
【００４５】
いくつかのインスタンスにおいて、図４で図示されたモジュールは、図示されたシーケンスを除いたシーケンスにおいて実行されることができる。さらに、１つまたは複数のモジュールは、オプションであってもよい。
【００４６】
ＡＴのオペレーションがＣＤＭＡ２０００ １ｘ-ＥＶ−ＤＯネットワークのコンテクストにおいて開示されているけれども、上記に開示されるＡＴオペレーションの原理(principles)は、他のデータネットワークと、他のデータシステムと、に関連して、使用されることができる。例えば、上記に開示されるＡＴオペレーションの原理は、ＣＤＭＡ２０００ １ｘネットワークあるいはＣＤＭＡ２０００ １ｘシステムに関連して、使用されることができる。
【００４７】
ＥＶＤＯシステムがＡＮの外にあるＰＣＦのコンテクストにおいて開示されているけれども、ＰＣＦは、ＢＳＣにおいて含まれることができ、また、それに応じてＡＮにおいて含まれることができる。結果として、いくつかのインスタンスにおいて、ＡＮに属された機能は、ＡＮに含まれるＰＣＦによって実行される。
【００４８】
上記に説明される１つまたは複数の方法の全部あるいは一部は、アクセス端末によって、アクセス端末におけるエレクトロニクスによって、および／または、データシステムによって、実行されることができる。さらに、プロセッサは、エレクトロニクス、および／またはＡＴに、上記の方法のうちの１つまたは複数の全部あるいは一部を実行させる。エレクトロニクスがコンピュータ可読メディアを含むときに、プロセッサは、コンピュータ可読メディア上でインストラクションを実行できる。インストラクションは、プロセッサおよび／またはＡＴに、上記に開示された１つまたは複数の方法の全部あるいは一部を実行させる。さらに、上記の方法のうちの１つまたは複数の全部あるいは一部は、開示されたＡＴおよびデータシステムを除いたデバイスおよびシステムによって、実行されることができる。
【００４９】
当業者は、情報および信号が様々な異なる技術および技法のうちのいずれかを使用して表わされることができるということを、理解するであろう。例えば、上記の説明を通して参照されることができるインストラクションおよびデータは、電圧、電流、電磁波、磁場あるいは磁性粒子、光場あるいは光学粒子、あるいはそれらのいずれの組合せによって表わされることができる。
【００５０】
当業者は、様々な説明のための論理ブロック、回路、および、ここに開示された実施形態に関連して説明された方法ステップは、電子ハードウェア、コンピュータソフトウェアあるいは両方の組合せとしてインプリメントされることができる、ということをさらに理解するであろう。ハードウェアとソフトウェアのこの互換性を明瞭に説明するために、様々な説明のためのコンポーネント、ブロック、論理、モジュール、回路およびステップが、一般に、それらの機能性という観点から、上記に説明されてきた。そのような機能性が、ハードウェアあるいはソフトウェアとしてインプリメントされるかどうかは、特定のアプリケーションと全体のシステムに課された設計制約(design constraints)に依存する。熟練職人は、各特定のアプリケーションについての様々な方法で、説明された機能性をインプリメントすることができるが、そのようなインプリメンテーションの決定は、本発明の範囲からの逸脱を生じさせるものとして解釈されるべきでない。
【００５１】
ここに開示された実施形態に関連して説明された様々な説明のための論理ブロック、論理、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル論理デバイス、ディスクリートゲートあるいはトランジスタロジック、ディスクリートハードウェアコンポーネント、あるいはここに説明された機能を実行するために設計されたそれらの任意の組み合わせで、インプリメントあるいは実行されることができる。汎用プロセッサは、マイクロプロセッサであってもよいが、代替として、プロセッサは、任意の従来のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１つ以上のマイクロプロセッサ、あるいはいずれの他のそのような構成のもの、としてインプリメントされてもよい。
【００５２】
ここに開示された実施形態に関連して説明された方法のステップは、ハードウェアにおいて、プロセッサによって実行されたソフトウェアモジュールにおいて、あるいはこれら２つの組み合わせにおいて、直接的に具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られているコンピュータ可読メディアのいずれの他の形態、において常駐する(reside)ことができる。例示的なストレージ可読メディアは、プロセッサがストレージメディアから情報を読み取ることができ、またストレージメディアに情報を書き込むことができるように、プロセッサに結合される。代替的に、ストレージメディアは、プロセッサと一体化していてもよい。プロセッサとストレージメディアは、ＡＳＩＣにおいて常駐していてもよい。ＡＳＩＣは、ユーザ端末に常駐していてもよい。代替的に、プロセッサとストレージメディアは、ユーザ端末におけるディスクリートコンポーネントとして常駐することができる。
【００５３】
開示された実施形態の以上の説明は、いずれの当業者も本発明を作る、あるいは使用することを可能とするように提供されている。これらの実施形態に対する様々な修正は、当業者にとって容易に明らかであろう、そして、ここにおいて定義された包括的な原理は、本発明の精神と範囲から逸脱することなく、他の実施形態に適用されることができる。したがって、本発明は、ここに示された実施形態に限定されるようには意図されてはおらず、ここに開示された原則と新規な特徴に整合する最も広い範囲が与えられるべきである。
【図１】
2010500824.tif 000003
【図２】
2010500824.tif 000004
【図３】
2010500824.tif 000005
【図４】
2010500824.tif 000006
【国際調査報告】
2010500824.tif 000007
2010500824.tif 000008
2010500824.tif 000009
2010500824.tif 000010
2010500824.tif 000011